(57)【要約】  データ処理方法及び関連装置であって、方法は、ユーザー装置が第１ネットワークノードからの制御情報を受信すること（Ｓ２０１）と、前記ユーザー装置が前記第１ネットワークノードの制御情報及び設定ルールに基づいて前記ユーザー装置のデータ複製動作を決定すること（Ｓ２０２）と、を含む。該方法を用いることにより、ユーザー装置のデータ複製動作を決定することができる。
2021502008.tif 000002
【特許請求の範囲】
【請求項１】
データ処理方法であって、
ユーザー装置が第１ネットワークノードからの制御情報を受信することと、
前記ユーザー装置が前記第１ネットワークノードの制御情報及び設定ルールに基づいて前記ユーザー装置のデータ複製動作を決定することと、を含むことを特徴とするデータ処理方法。
【請求項２】
制御情報が少なくとも１つのビットを含み、前記ユーザー装置が前記第１ネットワークノードの制御情報及び設定ルールに基づいて前記ユーザー装置のデータ複製動作を決定することは、
前記ユーザー装置がビットｉの値を仮定し、前記ビットｉが前記ユーザー装置の仮定した第２ネットワークノードからの制御情報に含まれる少なくとも１つのビットのうちの１つであることと、
前記ユーザー装置が前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊの制御情報における位置が同じであることと、を含むことを特徴とする請求項１に記載の方法。
【請求項３】
前記ビットｉの値が前記ビットｊの値に基づいて仮定したものであることを特徴とする請求項２に記載の方法。
【請求項４】
制御情報が少なくとも１つのビットを含み、前記ユーザー装置が前記第１ネットワークノードの制御情報及び設定ルールに基づいて前記ユーザー装置のデータ複製動作を決定する前に、前記方法は、更に、
前記ユーザー装置が前記第２ネットワークノードからの制御情報を受信することを含み、
前記ユーザー装置が前記第１ネットワークノードの制御情報及び設定ルールに基づいて前記ユーザー装置のデータ複製動作を決定することは、
前記ユーザー装置がビットｘの値、ビットｙの値及び設定されたマッピング関係に基づいて前記ユーザー装置のデータ複製動作を決定することを含み、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙの制御情報における位置が同じであることを特徴とする請求項１に記載の方法。
【請求項５】
前記設定されたマッピング関係は前記第１ネットワークノードの制御情報に含まれる１つのビットの値、前記第２ネットワークノードの制御情報に含まれる１つのビットの値及びユーザー装置のデータ複製動作のマッピング関係であることを特徴とする請求項２〜４のいずれか１項に記載の方法。
【請求項６】
前記ユーザー装置が第１ネットワークノードからの制御情報を受信することは、
前記ユーザー装置が前記第１ネットワーク装置からのＭＡＣ  ＣＥを受信することを含み、前記ＭＡＣ  ＣＥが制御情報を含むことを特徴とする請求項１〜５のいずれか１項に記載の方法。
【請求項７】
データ処理方法であって、
ネットワークノードがユーザー装置へ制御情報を送信することを含み、前記制御情報は前記ユーザー装置が設定ルールと組み合わせて前記ユーザー装置のデータ複製動作を決定することに用いられることを特徴とするデータ処理方法。
【請求項８】
前記ネットワークノードがユーザー装置へ制御情報を送信することは、
前記ネットワークノードがユーザー装置へＭＡＣ  ＣＥを送信することを含み、前記ＭＡＣ  ＣＥが制御情報を含むことを特徴とする請求項７に記載の方法。
【請求項９】
ユーザー装置であって、
処理ユニット及び通信ユニットを備え、
前記処理ユニットは、前記通信ユニットによって第１ネットワークノードからの制御情報を受信することと、前記第１ネットワークノードの制御情報及び設定ルールに基づいて前記ユーザー装置のデータ複製動作を決定することとに用いられることを特徴とするユーザー装置。
【請求項１０】
制御情報が少なくとも１つのビットを含み、前記処理ユニットは、具体的に、
ビットｉの値を仮定し、前記ビットｉが前記ユーザー装置の仮定した第２ネットワークノードからの制御情報に含まれる少なくとも１つのビットのうちの１つであることと、
前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊの制御情報における位置が同じであることとに用いられることを特徴とする請求項９に記載のユーザー装置。
【請求項１１】
前記ビットｉの値が前記ビットｊの値に基づいて仮定したものであることを特徴とする請求項１０に記載のユーザー装置。
【請求項１２】
制御情報が少なくとも１つのビットを含み、
前記処理ユニットは、更に、前記通信ユニットによって前記第２ネットワークノードからの制御情報を受信することに用いられ、
前記第１ネットワークノードの制御情報及び設定ルールに基づいて前記ユーザー装置のデータ複製動作を決定する方面では、前記処理ユニットは、具体的に、
ビットｘの値、ビットｙの値及び設定されたマッピング関係に基づいて前記ユーザー装置のデータ複製動作を決定することに用いられ、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙの制御情報における位置が同じであることを特徴とする請求項９に記載のユーザー装置。
【請求項１３】
前記設定されたマッピング関係は前記第１ネットワークノードの制御情報に含まれる１つのビットの値、前記第２ネットワークノードの制御情報に含まれる１つのビットの値及びユーザー装置のデータ複製動作のマッピング関係であることを特徴とする請求項１０〜１２のいずれか１項に記載のユーザー装置。
【請求項１４】
前記処理ユニットは、具体的に、
前記第１ネットワーク装置からのＭＡＣ  ＣＥを受信することに用いられ、前記ＭＡＣ  ＣＥが制御情報を含むことを特徴とする請求項９〜１３のいずれか１項に記載のユーザー装置。
【請求項１５】
ネットワークノードであって、
処理ユニット及び通信ユニットを備え、
前記処理ユニットは前記通信ユニットによってユーザー装置へ制御情報を送信することに用いられ、前記制御情報は前記ユーザー装置が設定ルールと組み合わせて前記ユーザー装置のデータ複製動作を決定することに用いられることを特徴とするネットワークノード。
【請求項１６】
前記処理ユニットは、具体的に、
ユーザー装置へＭＡＣ  ＣＥを送信することに用いられ、前記ＭＡＣ  ＣＥが制御情報を含むことを特徴とする請求項１５に記載のネットワークノード。
【請求項１７】
ユーザー装置であって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項１〜６のいずれか１項に記載の方法のステップを実行するための命令を含むことを特徴とするユーザー装置。
【請求項１８】
ネットワークノードであって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項７又は８に記載の方法のステップを実行するための命令を含むことを特徴とするネットワークノード。
【請求項１９】
コンピュータ可読記憶媒体であって、
電子データ交換のためのコンピュータプログラムが記憶され、前記コンピュータプログラムによってコンピュータが請求項１〜６のいずれか１項に記載の方法を実行することを特徴とするコンピュータ可読記憶媒体。
【請求項２０】
コンピュータ可読記憶媒体であって、
電子データ交換のためのコンピュータプログラムが記憶され、前記コンピュータプログラムによってコンピュータが請求項７又は８に記載の方法を実行することを特徴とするコンピュータ可読記憶媒体。
【発明の詳細な説明】
【技術分野】
【０００１】
本願は通信技術分野に関し、具体的にデータ処理方法及び関連装置に関する。
【背景技術】
【０００２】
デュアルコネクティビティ（ＤＣ、Ｄｕａｌ  ｃｏｎｎｅｃｔｉｖｉｔｙ）において、データ複製伝送方式がスプリットベアラ（ｓｐｌｉｔ  ｂｅａｒｅｒ）のプロトコルアーキテクチャを用いるが、アップリンク／ダウンリンクにとって、パケットデータコンバージェンスプロトコル（ＰＤＣＰ、Ｐａｃｋｅｔ  Ｄａｔａ  Ｃｏｎｖｅｒｇｅｎｃｅ  Ｐｒｏｔｏｃｏｌ）層があるセルグループ（ＣＧ、Ｃｅｌｌ  Ｇｒｏｕｐ）、例えばマスタセルグループ（ＭＣＧ、Ｍａｓｔｅｒ  Ｃｅｌｌ  Ｇｒｏｕｐ）又はセカンダリセルグループ（ＳＣＧ、Ｓｅｃｏｎｄａｒｙ  Ｃｅｌｌ  Ｇｒｏｕｐ）に位置し、該ＣＧがアンカーセルグループ（ａｎｃｈｏｒ  ＣＧ）である。送信側装置のＰＤＣＰ層がＰＤＣＰプロトコルデータユニット（ＰＤＵ、Ｐｒｏｔｏｃｏｌ  Ｄａｔａ  Ｕｎｉｔ）を同じ２つに複製し、例えば１つがＰＤＣＰ  ＰＤＵであり、もう１つがＤｕｐｌｉｃａｔｅｄ  ＰＤＣＰ  ＰＤＵであり、２つのＰＤＣＰ  ＰＤＵは異なるＣＧの無線リンク層制御プロトコル（ＲＬＣ、Ｒａｄｉｏ  Ｌｉｎｋ  Ｃｏｎｔｒｏｌ）層及び媒体アクセス制御（ＭＡＣ、Ｍｅｄｉａ  Ａｃｃｅｓｓ  ｃｏｎｔｒｏｌ）層を越えて、無線インターフェースを介して受信側装置の対応するＭＡＣ層及びＲＬＣ層に到達し、最後にＰＤＣＰ層に集中する。ＰＤＣＰ層は２つのＰＤＣＰ  ＰＤＵが同じＰＤＵであるとモニタリングした場合、ＰＤＣＰ層が一方のＰＤＵを廃棄して、他方のＰＤＵを高位層に送る。
【発明の概要】
【発明が解決しようとする課題】
【０００３】
本願の実施例はユーザー装置のデータ複製動作を決定するためのデータ処理方法及び関連装置を提供する。
【課題を解決するための手段】
【０００４】
第１態様では、本願の実施例はデータ処理方法を提供し、該方法は、
ユーザー装置が第１ネットワークノードからの制御情報を受信することと、
前記ユーザー装置が前記第１ネットワークノードの制御情報及び設定ルールに基づいて前記ユーザー装置のデータ複製動作を決定することと、を含む。
【０００５】
第２態様では、本願の実施例はデータ処理方法を提供し、該方法は、
ネットワークノードがユーザー装置へ制御情報を送信することを含み、前記制御情報は前記ユーザー装置が設定ルールと組み合わせて前記ユーザー装置のデータ複製動作を決定することに用いられる。
【０００６】
第３態様では、本願の実施例はユーザー装置を提供し、該装置は処理ユニット及び通信ユニットを備え、
前記処理ユニットは前記通信ユニットによって第１ネットワークノードからの制御情報を受信することと、前記第１ネットワークノードの制御情報及び設定ルールに基づいて前記ユーザー装置のデータ複製動作を決定することとに用いられる。
【０００７】
第４態様では、本願の実施例はネットワークノードを提供し、該ノードは処理ユニット及び通信ユニットを備え、
前記処理ユニットは前記通信ユニットによってユーザー装置へ制御情報を送信することに用いられ、前記制御情報は前記ユーザー装置が設定ルールと組み合わせて前記ユーザー装置のデータ複製動作を決定することに用いられる。
【０００８】
第５態様では、本願の実施例はユーザー装置を提供し、該装置は１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは第１態様に記載の方法のステップを実行するための命令を含む。
【０００９】
第６態様では、本願の実施例はネットワークノードを提供し、該ノードは１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは第２態様に記載の方法のステップを実行するための命令を含む。
【００１０】
第７態様では、本願の実施例はコンピュータ可読記憶媒体を提供し、該媒体に電子データ交換のためのコンピュータプログラムが記憶され、前記コンピュータプログラムによってコンピュータが第１態様に記載の方法を実行する。
【００１１】
第８態様では、本願の実施例はコンピュータ可読記憶媒体を提供し、該媒体に電子データ交換のためのコンピュータプログラムが記憶され、前記コンピュータプログラムによってコンピュータが第２態様に記載の方法を実行する。
【００１２】
第９態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することによりコンピュータが第１態様に記載の方法を実行する。
【００１３】
第１０態様では、本願の実施例はコンピュータプログラム製品を提供し、前記コンピュータプログラム製品はコンピュータプログラムが記憶される非一時的コンピュータ可読記憶媒体を含み、前記コンピュータプログラムを操作することによりコンピュータが第２態様に記載の方法を実行する。
【００１４】
本願のこれらの態様又は他の態様は以下の実施例の説明において明らかになる。
【図面の簡単な説明】
【００１５】
本願の実施例の技術案をより明確に説明するために、以下に実施例の記述において必要な図面を簡単に説明するが、明らかに、以下に記載する図面は単に本願の幾つかの実施例に過ぎず、当業者であれば、創造的な労力を要することなく、これらの図面に基づいて他の図面に想到しうる。
【００１６】
【図１】図１は本願の実施例に係るネットワークアーキテクチャの模式図である。
【図２】図２は本願の実施例に係るデータ処理方法を示す図である。
【図３】図３は本願の実施例に係るＭＡＣ  ＰＤＵの全体構造模式図である。
【図４】図４は本願の実施例に係るユーザー装置の構造模式図である。
【図５】図５は本願の実施例に係るネットワークノードの構造模式図である。
【図６】図６は本願の実施例に係る別のユーザー装置の構造模式図である。
【図７】図７は本願の実施例に係る別のネットワークノードの構造模式図である。
【図８】図８は本願の実施例に係る別のユーザー装置の構造模式図である。
【発明を実施するための形態】
【００１７】
当業者が本願の解決手段をよりよく理解するために、以下に本願の実施例の図面を参照しながら、本願の実施例の技術案を明確且つ完全に説明し、明らかに、説明される実施例は本願の実施例の一部に過ぎず、実施例のすべてではない。本願の実施例に基づき、当業者が進歩性のある労働を必要とせずに得られる他の実施例は、いずれも本願の保護範囲に属すべきである。
【００１８】
以下、それぞれ詳しく説明する。
【００１９】
本願の明細書、特許請求の範囲及び前記図面における用語「第１」「第２」「第３」及び「第４」等は異なるオブジェクトを区分するためのものであって、特定の順序を説明するためのものではない。なお、用語「含む」、「有する」及びそれらの任意の変形は非排他的包含を含むように意図される。例えば、一連のステップ又はユニットを含む過程、方法、システム、製品又は設備は列挙したステップ又はユニットに限らず、選択的に更に列挙しないステップ又はユニットを含み、又は、選択的に更にこれらの過程、方法、製品又は設備固有の他のステップ又はユニットを含む。
【００２０】
本明細書に言及した「実施例」は、実施例を参照して説明した特定の特徴、構造又は特性が本願の少なくとも１つの実施例に含まれてもよいことを意味する。明細書の各箇所に該用語が出現することとは、必ず同じ実施例を指すとは限らず、他の実施例と排他性のある独立した又は代替の実施例でもない。当業者であれば明示的又は暗示的に理解されるように、本明細書に説明される実施例が他の実施例と組み合わせられてもよい。
【００２１】
以下、図面を参照しながら本願の実施例を説明する。
【００２２】
図１を参照して、図１は本願の実施例に開示されるネットワークアーキテクチャの模式図である。図１に示すように、該ネットワークアーキテクチャはマスタノード（ＭＮ、ｍａｓｔｅｒ  ｎｏｄｅ）１１０及び少なくとも１つのスレーブノード１２０（ＳＮ、ｓｌａｖｅ  ｎｏｄｅ）を含む。マスタノード１１０は基本的なネットワークカバレッジ１３０を提供する。少なくとも１つのスレーブノード１２０はより狭いネットワークカバレッジ１４０を提供する。マスタノード１１０及びスレーブノード１２０の共通カバレッジ範囲内にあるユーザー装置１５０（ＵＥ、Ｕｓｅｒ  Ｅｑｕｉｐｍｅｎｔ）はマスタノード１１０及びスレーブノード１２０と通信接続を同時に確立することができる。ここで、１つのユーザー装置１５０が１つのマスタノード１１０及び少なくとも１つのスレーブノード１２０と同時に接続される状況はデュアルコネクティビティと称される。以下の説明において、１つのユーザー装置１５０が１つのマスタノード１１０及び１つのスレーブノード１２０とデュアルコネクティビティを有する状況を例として本願の各実例方式を説明する。ところが、当業者であれば理解されるように、以下に説明される解決手段は１つのユーザー装置が１つのマスタノード及び複数のスレーブノードとデュアルコネクティビティを有する状況にも適用される。
【００２３】
ユーザー装置はユーザーに音声及び／又はデータ接続を提供する装置、例えば無線接続機能を有するハンドヘルド装置、車載装置等である。よく見られるユーザー装置は例えば携帯電話、タブレットＰＣ、ノートパソコン、パームトップコンピュータ、モバイルインターネットデバイス（ＭＩＤ、ｍｏｂｉｌｅ  ｉｎｔｅｒｎｅｔ  ｄｅｖｉｃｅ）、ウェアラブル端末、例えばスマートウォッチ、スマートブレスレット、万歩計等を含む。
【００２４】
ネットワークノードとは、１台のコンピュータ又は他の装置が独立したアドレスのある、データの伝送又は受信機能を有する１つのネットワークに接続されることを意味する。ネットワークノードはワークステーション、クライアント、ネットワークユーザー又はパーソナルコンピュータであってもよく、サーバ、プリンタ又は他のネットワーク接続装置であってもよい。各ワークステーション、サーバ、ユーザー装置、ネットワーク装置（ネットワーク側のノード装置を指し、該装置は発展型ノードＢ（ｅＮＢ、ｅｖｏｌｖｅｄ  Ｎｏｄｅ  Ｂ）、無線ネットワーク制御装置（ＲＮＣ、ｒａｄｉｏ  ｎｅｔｗｏｒｋ  ｃｏｎｔｒｏｌｌｅｒ）、ノードＢ（ＮＢ、Ｎｏｄｅ  Ｂ）、基地局制御装置（ＢＳＣ、Ｂａｓｅ  Ｓｔａｔｉｏｎ  Ｃｏｎｔｒｏｌｌｅｒ）、ベーストランシーバ基地局（ＢＴＳ、Ｂａｓｅ  Ｔｒａｎｓｃｅｉｖｅｒ  Ｓｔａｔｉｏｎ）、ホーム基地局（例えば、ＨＮＢ、Ｈｏｍｅ  ｅｖｏｌｖｅｄ  ＮｏｄｅＢ、又はＨｏｍｅ  Ｎｏｄｅ  Ｂ）、ベースバンドユニット（ＢＢＵ、ＢａｓｅＢａｎｄ  Ｕｎｉｔ）、モビリティ管理エンティティ（ＭＭＥ、Ｍｏｂｉｌｉｔｙ  Ｍａｎａｇｅｍｅｎｔ  Ｅｎｔｉｔｙ）等を含むが、それらに限らない）、すなわち唯一のネットワークアドレスのある装置はいずれもネットワークノードである。
【００２５】
以下、図１に示されるネットワークアーキテクチャと組み合わせて本願の実施例に係るデータ処理方法を詳しく説明する。
【００２６】
現在の新無線インターフェース（ＮＲ、Ｎｅｗ  ｒａｄｉｏ）についての討論において、データ複製伝送機能を設定した無線ベアラについては、ＭＡＣ制御要素（ＣＥ、ｃｏｎｔｒｏｌ  ｅｌｅｍｅｎｔ）によってある無線ベアラのデータ複製伝送機能を動的にアクティベート（ａｃｔｉｖａｔｅ）又はデアクティベート（ｄｅ−ａｃｔｉｖａｔｅ）してもよい。
【００２７】
デュアルコネクティビティの場合には、マスタノード及びスレーブノードはそれぞれＭＡＣ  ＣＥを送信することによりユーザー装置のあるｓｐｌｉｔ  ｂｅａｒｅｒのデータ複製伝送機能をアクティベート又はデアクティベートしてもよい。現在のＮＲ討論において、ＭＡＣ  ＣＥが１つのｂｉｔｍａｐを含み、且つ該ｂｉｔｍａｐが１ｂｙｔｅであることに合意した。ｂｉｔｍａｐにおける異なる位置がそれぞれユーザー装置の異なるｂｅａｒｅｒ  ＩＤに対応し、これらのｂｅａｒｅｒ  ＩＤで示されるｂｅａｒｅｒはデータ複製伝送機能を設定したｂｅａｒｅｒである。例えば、ユーザー装置のｂｅａｒｅｒ  ＩＤが０、２、３、７、８、１０であり、ＭＡＣ  ＣＥに含まれるｂｉｔｍａｐとｂｅａｒｅｒ  ＩＤとの対応関係はｂｉｔｍａｐにおける第１ビットがｂｅａｒｅｒ  ＩＤ  ０に対応し、第２ビットがｂｅａｒｅｒ  ＩＤ  ２に対応し、第３ビットがｂｅａｒｅｒ  ＩＤ  ３に対応し、第４ビットがｂｅａｒｅｒ  ＩＤ  ７に対応し、第５ビットがｂｅａｒｅｒ  ＩＤ  ８に対応し、第６ビットがｂｅａｒｅｒ  ＩＤ  １０に対応し、第７ビット及び第８ビットが無効ビットであることであり、このようなＭＡＣ  ＣＥに含まれるｂｉｔｍａｐとｂｅａｒｅｒ  ＩＤとの対応関係が昇順対応関係である。当然ながら、ＭＡＣ  ＣＥに含まれるｂｉｔｍａｐとｂｅａｒｅｒ  ＩＤとの対応関係が降順対応関係であってもよい。
【００２８】
ユーザー装置の受信したＭＡＣ  ＣＥはマスタノードの送信したものであってもよく、スレーブノードの送信したものであってもよいため、ＮＲにはユーザー装置がマスタノードの送信したＭＡＣ  ＣＥ及びスレーブノードの送信したＭＡＣ  ＣＥに基づいてユーザー装置のデータ複製動作を共通に定義する必要があると協議する可能性がある。ユーザー装置が無線リソース制御（ＲＲＣ、Ｒａｄｉｏ  Ｒｅｓｏｕｒｃｅ  Ｃｏｎｔｒｏｌ）シグナリングを受信した後、ユーザー装置が１つの初期状態を有すべきである。ユーザー装置が一方のネットワークノードから送信されたＭＡＣ  ＣＥを受信したが、他方のネットワークノードから送信されたＭＡＣ  ＣＥを受信していない場合、ユーザー装置は２つのネットワークノードから送信されたＭＡＣ  ＣＥに基づいてユーザー装置のデータ複製動作を共通に定義することができない。
【００２９】
上記問題に対して、図２を参照して、図２は本願の実施例に係るデータ処理方法のフローチャートであり、以下のステップを含む。
【００３０】
Ｓ２０１、第１ネットワークノードがユーザー装置へ制御情報を送信する。
【００３１】
一実施例において、第１ネットワークノードがユーザー装置へ制御情報を送信する具体的な実施形態は、第１ネットワークノードがユーザー装置へＭＡＣ  ＣＥを送信し、前記ＭＡＣ  ＣＥが制御情報を含むことである。
【００３２】
具体的に、ＭＡＣ  ＰＤＵの全体構造は図３に示すとおり、１つのＭＡＣ  ＰＤＵがＭＡＣヘッダー（ＭＡＣ  ｈｅａｄｅｒ）及びＭＡＣペイロード（ＭＡＣ  ｐａｙｌｏａｄ）からなる。ＭＡＣペイロードがＭＡＣサブサービスデータユニット（ＭＡＣ  ｓｕｂ−ＰＤＵ）、ＭＡＣ  ＣＥ及び選択可能なパディングビット（ｐａｄｄｉｎｇ）からなる。ＭＡＣヘッダー、ＭＡＣ  ＰＤＵ及びＭＡＣ  ＣＥがＭＡＣ  ＰＤＵ全体にいっぱいにパディングできない場合、ＭＡＣ  ＰＤＵにおける残りのビットはパディングビット（ｐａｄｄｉｎｇ  ｂｉｔ）でパディングされる必要がある。ＭＡＣ  ＣＥは様々なタイプがあり、様々なＭＡＣ層の制御情報、例えば電力ヘッドルーム報告（Ｐｏｗｅｒ  Ｈｅａｄｒｏｏｍ  Ｒｅｐｏｒｔ）のためのＭＡＣ  ＣＥ、バッファ状態報告（Ｂｕｆｆｅｒ  Ｓｔａｔｕｓ  Ｒｅｐｏｒｔ）のためのＭＡＣ  ＣＥ、タイミングアドバンスコマンド（Ｔｉｍｉｎｇ  Ａｄｖａｎｃｅ  Ｃｏｍｍａｎｄ）を送信するためのＭＡＣ  ＣＥを伝送することに用いられる。
【００３３】
本願におけるＭＡＣ  ＣＥはユーザー装置のデータ複製伝送機能を伝送・制御することに用いられる。第１ネットワークノードがユーザー装置へＭＡＣ  ＣＥを送信するやり方は、第１ネットワークノードにはユーザー装置へ送信するデータがある場合、第１ネットワークノードのＰＤＣＰ層が送信すべきデータをＰＤＣＰ  ＰＤＵにカプセル化し、次にカプセル化後のＰＤＣＰ  ＰＤＵをＲＬＣ層に送信し、次にＲＬＣ層がＲＬＣ  ＰＤＵをＭＡＣ層に送信し、ＭＡＣ層が送信すべき制御情報をＭＡＣ  ＣＥに含ませてＲＬＣ層の送信したデータとともにＭＡＣ  ＰＤＵにカプセル化し、次に第１ネットワークノードのＭＡＣ層がカプセル化後のＭＡＣ  ＰＤＵをインターフェースを介してユーザー装置に送信することである。
【００３４】
Ｓ２０２、ユーザー装置が第１ネットワークノードからの制御情報を受信し、ユーザー装置が第１ネットワークノードの制御情報及び設定ルールに基づいてユーザー装置のデータ複製動作を決定する。
【００３５】
本願では、第１ネットワークノードはマスタノードであってもよく、スレーブノードであってもよい。第２ネットワークノードはマスタノードであってもよく、スレーブノードであってもよい。
【００３６】
一実施例において、ユーザー装置が第１ネットワークノードからの制御情報を受信する具体的な実施形態は、ユーザー装置が第１ネットワークノードからのＭＡＣ  ＣＥを受信し、前記ＭＡＣ  ＣＥが制御情報を含むことである。
【００３７】
具体的に、ユーザー装置のＭＡＣ層が第１ネットワークノードのＭＡＣ層の送信したＭＡＣ  ＰＤＵを受信し、ユーザー装置のＭＡＣ層が受信されたＭＡＣ  ＰＤＵを逆多重化してＭＡＣ  ＰＤＵに含まれるＭＡＣ  ＣＥを取得することができ、すなわち、ＭＡＣ  ＣＥに含まれる制御情報を取得することができる。
【００３８】
現在のＮＲ討論において、デュアルコネクティビティの場合には、マスタノード及びスレーブノードはそれぞれＭＡＣ  ＣＥを送信することによりユーザー装置のあるｓｐｌｉｔ  ｂｅａｒｅｒのデータ複製機能をアクティベート又はデアクティベートすることができ、且つユーザー装置の受信したＭＡＣ  ＣＥがマスタノードの送信したものであってもよく、スレーブノードの送信したものであってもよく、従って、ＮＲにはユーザー装置がマスタノードの送信したＭＡＣ  ＣＥ及びスレーブノードの送信したＭＡＣ  ＣＥに基づいてユーザー装置のデータ複製動作を共通に定義する必要があると協議する可能性がある。また、現在のＮＲ討論において、ＭＡＣ  ＣＥが１つのｂｉｔｍａｐを含み、且つ該ｂｉｔｍａｐが１ｂｙｔｅであることに合意した。ＭＡＣ  ＣＥが制御情報を含めば、制御情報がＭＡＣ  ＣＥに含まれるこの１  ｂｙｔｅの情報であってもよい。
【００３９】
上記状況に基づき、第１ネットワークノードがＭＡＣ  ＣＥによってユーザー装置に制御情報を伝送すると仮定する。ユーザー装置が現在マスタノード及びスレーブノードのうちの一方のネットワークノードから送信されたＭＡＣ  ＣＥのみを受信すれば、ユーザー装置が他方のネットワークノードから送信されたＭＡＣ  ＣＥを受信していないため、ユーザー装置は２つのネットワークノードから送信されたＭＡＣ  ＣＥに基づいてユーザー装置のデータ複製動作を共通に定義することができない。
【００４０】
該問題に対して、一実施例において、本願の具体的なやり方は、ＭＡＣ  ＣＥが制御情報を含み、ＭＡＣ  ＣＥが１つのｂｉｔｍａｐを含み、該ｂｉｔｍａｐが１ｂｙｔｅであり、制御情報が少なくとも１つのビットを含むことであり、前記ユーザー装置が前記第１ネットワークノードの制御情報及び設定ルールに基づいて前記ユーザー装置のデータ複製動作を決定する具体的な実施形態は、
前記ユーザー装置がビットｉの値を仮定し、前記ビットｉが前記ユーザー装置の仮定した第２ネットワークノードからの制御情報に含まれる少なくとも１つのビットのうちの１つであり、
前記ユーザー装置が前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊの制御情報における位置が同じであることである。
【００４１】
一実施例において、設定されたマッピング関係は第１ネットワークノードの制御情報に含まれる１つのビットの値、第２ネットワークノードの制御情報に含まれる１つのビットの値及びユーザー装置のデータ複製動作のマッピング関係である。
【００４２】
該設定されたマッピング関係は表１に示される。
【表１】
2021502008.tif 000003
【００４３】
Ｏｐｅｒａｔｉｏｎ１、Ｏｐｅｒａｔｉｏｎ２及びＯｐｅｒａｔｉｏｎ３は同じであって、データ複製動作であり、又は、Ｏｐｅｒａｔｉｏｎ２、Ｏｐｅｒａｔｉｏｎ３及びＯｐｅｒａｔｉｏｎ４は同じであって、データ非複製動作である。
【００４４】
例えば、第１ネットワークノードの制御情報が８つのビットを含むと仮定する。更に、第１ネットワークノードの制御情報のこの８つのビットがｘｘ００１１０１であると仮定する。更に、第１ビットがユーザー装置のｂｅａｒｅｒ  ＩＤ  ０に対応し、第２ビットがユーザー装置のｂｅａｒｅｒ  ＩＤ  ２に対応し、第３ビットがユーザー装置のｂｅａｒｅｒ  ＩＤ  ３に対応し、第４ビットがユーザー装置のｂｅａｒｅｒ  ＩＤ  ７に対応し、第５ビットがユーザー装置のｂｅａｒｅｒ  ＩＤ  ８に対応し、第６ビットがユーザー装置のｂｅａｒｅｒ  ＩＤ  １０に対応し、第７ビット及び第８ビットが無効ビットであると仮定する。更に、ユーザー装置が既に第２ネットワークノードのｂｅａｒｅｒ  ＩＤ  ０、ｂｅａｒｅｒ  ＩＤ  ２、ｂｅａｒｅｒ  ＩＤ  ７及びｂｅａｒｅｒ  ＩＤ  ８に対する制御情報を把握したと仮定する場合、ユーザー装置は第２ネットワークノードのｂｅａｒｅｒ  ＩＤ  ３及びｂｅａｒｅｒ  ＩＤ  １０に対する制御情報のみを把握していない。この時、ユーザー装置は第２ネットワークノードからの制御情報に含まれるビットのうちのｂｅａｒｅｒ  ＩＤ  ３及びｂｅａｒｅｒ  ＩＤ  １０に対応するビットの値を仮定し、例えば、ユーザー装置はｂｅａｒｅｒ  ＩＤ  ３に対応するビットの値が１であると仮定する場合、ユーザー装置は表１に基づいてユーザー装置のｂｅａｒｅｒ  ＩＤ  ３に対する動作がデータ複製動作であることを把握でき、ユーザー装置はｂｅａｒｅｒ  ＩＤ  １０に対応するビットの値が０であると仮定する場合、ユーザー装置は表１に基づいてユーザー装置のｂｅａｒｅｒ  ＩＤ  １０に対する動作がデータ非複製動作であることを把握できる。
【００４５】
以上によれば、本願では、デュアルコネクティビティの場合には、ユーザー装置が１つのみのネットワークノードのＭＡＣ  ＣＥを受信した場合、ユーザー装置は他方のネットワークノードから送信されたＭＡＣ  ＣＥに含まれるビットの値を仮定し、次にユーザー装置は受信された１つのネットワークノードのＭＡＣ  ＣＥに含まれるビットの値、仮定した他方のネットワークノードのＭＡＣ  ＣＥに含まれるビットの値及び予め設定された１つのマッピング関係に基づいてユーザー装置のデータ複製動作を共通に定義し、このように、１つのみのネットワークノードのＭＡＣ  ＣＥを受信した場合、ユーザー装置がデータ複製動作を決定できない状況を回避することができる。
【００４６】
一実施例において、前記ビットｉの値が前記ビットｊの値に基づいて仮定したものである。
【００４７】
具体的に、ビットｊの値が１であると仮定すれば、ユーザー装置はビットｉの値が１であると仮定し、又は、ビットｊの値が０であると仮定すれば、ユーザー装置はビットｉの値が０であると仮定する。又は、ビットｊの値が１であると仮定すれば、ユーザー装置はビットｉの値が０であると仮定し、又は、ビットｊの値が０であると仮定すれば、ユーザー装置はビットｉの値が１であると仮定する。
【００４８】
一実施例において、制御情報が少なくとも１つのビットを含み、前記ユーザー装置が前記第１ネットワークノードの制御情報及び設定ルールに基づいて前記ユーザー装置のデータ複製動作を決定する前に、前記方法は、更に、
前記ユーザー装置が前記第２ネットワークノードからの制御情報を受信することを含み、
前記ユーザー装置が前記第１ネットワークノードの制御情報及び設定ルールに基づいて前記ユーザー装置のデータ複製動作を決定することは、
前記ユーザー装置がビットｘの値、ビットｙの値及び設定されたマッピング関係に基づいて前記ユーザー装置のデータ複製動作を決定することを含み、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙの制御情報における位置が同じである。
【００４９】
具体的に、デュアルコネクティビティの場合には、ユーザー装置が現在一方のネットワークノードのＭＡＣ  ＣＥを受信したが、他方のネットワークノードのＭＡＣ  ＣＥを受信していない場合、ユーザー装置のやり方は、他方のネットワークノードのＭＡＣ  ＣＥが到達するまで、ユーザー装置がＲＲＣシグナリングで示されるデフォルト状態（ｄｅｆａｕｌｔ  ｓｔａｔｅ）を維持し、次にユーザー装置が２つのネットワークノードからのＭＡＣ  ＣＥに基づいてユーザー装置のデータ複製動作を共通に定義することである。
【００５０】
図４を参照して、図４は本願の実施例に係るユーザー装置４００を示す図であり、該装置は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
第１ネットワークノードからの制御情報を受信し、
前記第１ネットワークノードの制御情報及び設定ルールに基づいて前記ユーザー装置のデータ複製動作を決定するステップを実行するための命令を含む。
【００５１】
一実施例において、制御情報が少なくとも１つのビットを含み、前記第１ネットワークノードの制御情報及び設定ルールに基づいて前記ユーザー装置のデータ複製動作を決定する方面では、前記プログラムは、具体的に、
ビットｉの値を仮定し、前記ビットｉが前記ユーザー装置の仮定した第２ネットワークノードからの制御情報に含まれる少なくとも１つのビットのうちの１つであり、
前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊの制御情報における位置が同じであるステップを実行するための命令を含む。
【００５２】
一実施例において、前記ビットｉの値が前記ビットｊの値に基づいて仮定したものである。
【００５３】
一実施例において、制御情報が少なくとも１つのビットを含み、前記第１ネットワークノードの制御情報及び設定ルールに基づいて前記ユーザー装置のデータ複製動作を決定する前に、前記プログラムは、更に、
前記第２ネットワークノードからの制御情報を受信するステップを実行するための命令を含み、
前記第１ネットワークノードの制御情報及び設定ルールに基づいて前記ユーザー装置のデータ複製動作を決定する方面では、前記プログラムは、具体的に、
ビットｘの値、ビットｙの値及び設定されたマッピング関係に基づいて前記ユーザー装置のデータ複製動作を決定し、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙの制御情報における位置が同じであるステップを実行するための命令を含む。
【００５４】
一実施例において、前記設定されたマッピング関係は前記第１ネットワークノードの制御情報に含まれる１つのビットの値、前記第２ネットワークノードの制御情報に含まれる１つのビットの値及びユーザー装置のデータ複製動作のマッピング関係である。
【００５５】
一実施例において、第１ネットワークノードからの制御情報を受信する方面では、前記プログラムは、具体的に、
前記第１ネットワーク装置からのＭＡＣ  ＣＥを受信し、前記ＭＡＣ  ＣＥが制御情報を含むステップを実行するための命令を含む。
【００５６】
なお、本実施例に記載の内容の具体的な実現方式は上記方法を参照してもよく、ここで詳細な説明は省略する。
【００５７】
図５を参照して、図５は本願の実施例に係るネットワーク装置５００を示す図であり、該装置は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
ユーザー装置へ制御情報を送信するステップを実行するための命令を含み、前記制御情報は前記ユーザー装置が設定ルールと組み合わせて前記ユーザー装置のデータ複製動作を決定することに用いられる。
【００５８】
一実施例において、ユーザー装置へ制御情報を送信する方面では、前記プログラムは、具体的に、
ユーザー装置へＭＡＣ  ＣＥを送信するステップを実行するための命令を含み、前記ＭＡＣ  ＣＥが制御情報を含む。
【００５９】
なお、本実施例に記載の内容の具体的な実現方式は上記方法を参照してもよく、ここで詳細な説明は省略する。
【００６０】
図６を参照して、図６は本実施例に係るユーザー装置６００の構造模式図である。該ユーザー装置６００は処理ユニット６０１、通信ユニット６０２及び記憶ユニット６０３を備え、
前記処理ユニット６０１は、前記通信ユニット６０２によって第１ネットワークノードからの制御情報を受信することと、前記第１ネットワークノードの制御情報及び設定ルールに基づいて前記ユーザー装置のデータ複製動作を決定することとに用いられる。
【００６１】
一実施例において、制御情報が少なくとも１つのビットを含み、前記第１ネットワークノードの制御情報及び設定ルールに基づいて前記ユーザー装置のデータ複製動作を決定する方面では、前記処理ユニット６０１は、具体的に、
ビットｉの値を仮定し、前記ビットｉが前記ユーザー装置の仮定した第２ネットワークノードからの制御情報に含まれる少なくとも１つのビットのうちの１つであることと、
前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊの制御情報における位置が同じであることとに用いられる。
【００６２】
一実施例において、前記ビットｉの値が前記ビットｊの値に基づいて仮定したものである。
【００６３】
一実施例において、制御情報が少なくとも１つのビットを含み、
前記処理ユニット６０１は、更に、前記通信ユニットによって前記第２ネットワークノードからの制御情報を受信することに用いられ、
前記第１ネットワークノードの制御情報及び設定ルールに基づいて前記ユーザー装置のデータ複製動作を決定する方面では、前記処理ユニット６０１は、具体的に、
ビットｘの値、ビットｙの値及び設定されたマッピング関係に基づいて前記ユーザー装置のデータ複製動作を決定することに用いられ、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙの制御情報における位置が同じである。
【００６４】
一実施例において、前記設定されたマッピング関係は前記第１ネットワークノードの制御情報に含まれる１つのビットの値、前記第２ネットワークノードの制御情報に含まれる１つのビットの値及びユーザー装置のデータ複製動作のマッピング関係である。
【００６５】
一実施例において、第１ネットワークノードからの制御情報を受信する方面では、前記処理ユニット６０１は、具体的に、
前記第１ネットワーク装置からのＭＡＣ  ＣＥを受信することに用いられ、前記ＭＡＣ  ＣＥが制御情報を含む。
【００６６】
処理ユニット６０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい）。通信ユニット６０２は送受信機、送受信回路、無線周波数チップ、通信インターフェース等であってもよく、記憶ユニット６０３はメモリであってもよい。
【００６７】
処理ユニット６０１がプロセッサであり、通信ユニット６０２が通信インターフェースであり、記憶ユニット６０３がメモリである場合、本願の実施例に関わるユーザー装置は図４に示されるユーザー装置であってもよい。
【００６８】
図７に示すとおり、図７は本実施例に係るネットワークノード７００の構造模式図である。該ネットワークノード７００は処理ユニット７０１、通信ユニット７０２及び記憶ユニット７０３を備え、
前記処理ユニット７０１は、前記通信ユニット７０２によってユーザー装置へ制御情報を送信することに用いられ、前記制御情報は前記ユーザー装置が設定ルールと組み合わせて前記ユーザー装置のデータ複製動作を決定することに用いられる。
【００６９】
一実施例において、ユーザー装置へ制御情報を送信する方面では、前記処理ユニット７０１は、具体的に、
ユーザー装置へＭＡＣ  ＣＥを送信することに用いられ、前記ＭＡＣ  ＣＥが制御情報を含む。
【００７０】
処理ユニット７０１はプロセッサ又はコントローラであってもよい（例えば、中央処理装置（ＣＰＵ、Ｃｅｎｔｒａｌ  Ｐｒｏｃｅｓｓｉｎｇ  Ｕｎｉｔ）、汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ−Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、トランジスタロジックデバイス、ハードウェア部材又はそれらの任意の組み合わせであってもよい。それは本願に開示される内容を参照して説明される様々な例示的な論理ブロック、モジュール及び回路を実現又は実行することができる。前記プロセッサは更に計算機能を実現する組み合わせ、例えば１つ又は複数のマイクロプロセッサの組み合わせ、ＤＳＰ及びマイクロプロセッサの組み合わせ等であってもよい）。通信ユニット７０２は送受信機、送受信回路、無線周波数チップ、通信インターフェース等であってもよく、記憶ユニット７０３はメモリであってもよい。
【００７１】
処理ユニット７０１がプロセッサであり、通信ユニット７０２が通信インターフェースであり、記憶ユニット７０３がメモリである場合、本願の実施例に関わるネットワークノードは図５に示されるネットワークノードであってもよい。
【００７２】
本願の実施例は更にユーザー装置を提供し、図８に示すように、説明都合上、本願の実施例に関連する部分のみを示したが、具体的な開示されていない技術的詳細は本願の実施例の方法部分を参照してもよい。該ユーザー装置が携帯電話である場合を例とすれば、
図８は本願の実施例に係るユーザー装置に関連する携帯電話の局所構造のブロック図である。図８を参照して、携帯電話は無線周波数（ＲＦ、Ｒａｄｉｏ  Ｆｒｅｑｕｅｎｃｙ）回路１０、メモリ２０、入力ユニット３０、表示ユニット４０、センサ５０、オーディオ回路６０、ワイヤレスフィデリティ（ＷｉＦｉ、Ｗｉｒｅｌｅｓｓ  Ｆｉｄｅｌｉｔｙ）モジュール７０、プロセッサ８０及び電源９０等の部材を備える。当業者であれば理解されるように、図８に示される携帯電話の構造は携帯電話を制限するためのものではなく、図示より多く又は少ない部材を備え、又はいくつかの部材を組み合わせ、又は異なる部材を配置してもよい。
【００７３】
以下、図８を参照しながら携帯電話の各構成部材を具体的に説明する。
【００７４】
ＲＦ回路１０は情報の受信及び送信に使用されてもよい。一般的に、ＲＦ回路１０はアンテナ、少なくとも１つの増幅器、送受信機、結合器、低雑音増幅器（ＬＮＡ、Ｌｏｗ  Ｎｏｉｓｅ  Ａｍｐｌｉｆｉｅｒ）、デュプレクサ等を含むが、それらに限らない。なお、ＲＦ回路１０は更に無線通信及びネットワーク経由で他の装置と通信することができる。上記無線通信はいずれか１つの通信規格又はプロトコルを用いてもよく、該通信規格又はプロトコルはモバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、符号分割多元接続（ＣＤＭＡ、Ｃｏｄｅ  Ｄｉｖｉｓｉｏｎ  Ｍｕｌｔｉｐｌｅ  Ａｃｃｅｓｓ）、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）、ロングタームエボリューション（ＬＴＥ、Ｌｏｎｇ  Ｔｅｒｍ  Ｅｖｏｌｕｔｉｏｎ）、電子メール、ショットメッセージサービス（ＳＭＳ、Ｓｈｏｒｔ  Ｍｅｓｓａｇｉｎｇ  Ｓｅｒｖｉｃｅ）等を含むが、それらに限らない。
【００７５】
メモリ２０はソフトウェアプログラム及びモジュールを記憶することに用いられてもよく、プロセッサ８０はメモリ２０に記憶されるソフトウェアプログラム及びモジュールを実行することにより、携帯電話の様々な機能アプリケーション及びデータ処理を実行する。メモリ２０は主にプログラム記憶エリア及びデータ記憶エリアを備えてもよく、プログラム記憶エリアはオペレーティングシステム、少なくとも１つの機能に必要なアプリケーションプログラム等を記憶することができ、データ記憶エリアは携帯電話の使用に応じて新規作成されたデータ等を記憶することができる。なお、メモリ２０は高速ランダムアクセスメモリを含んでもよく、更に不揮発性メモリ、例えば少なくとも１つの磁気ディスク記憶装置、フラッシュメモリデバイス又は他の揮発性固体記憶装置を含んでもよい。
【００７６】
入力ユニット３０は入力された数字又は文字情報を受信して、携帯電話のユーザー設定及び機能制御に関連するキー信号入力を発生させることに用いられる。具体的に、入力ユニット３０は指紋認識モジュール及び他の入力装置を備えてもよい。指紋認識モジュールはユーザーのその上の指紋データを収集することができる。他の入力装置はタッチパネル、物理キーボード、機能キー（例えば、音量制御キー、スイッチキー等）、トラックボール、マウス、操作レバー等のうちの１つ又は複数を含んでもよいが、それらに限らない。
【００７７】
表示ユニット４０はユーザーの入力した情報又はユーザーに提供した情報及び携帯電話の様々なメニューを表示することに用いられてもよい。表示ユニット４０はディスプレイ４１を備えてもよく、選択的に、液晶ディスプレイ（ＬＣＤ、Ｌｉｑｕｉｄ  Ｃｒｙｓｔａｌ  Ｄｉｓｐｌａｙ）、有機発光ダイオード（ＯＬＥＤ、Ｏｒｇａｎｉｃ  Ｌｉｇｈｔ−Ｅｍｉｔｔｉｎｇ  Ｄｉｏｄｅ）等の形式でディスプレイ４１を設定してもよい。
【００７８】
携帯電話は更に少なくとも１つのセンサ５０、例えば光センサ、運動センサ及び他のセンサを備えてもよい。具体的に、光センサは環境光センサ及び接近センサを含んでもよく、環境光センサは環境光の輝度に応じてディスプレイ４１の輝度を調整することができ、接近センサは携帯電話が耳元に移動するとき、ディスプレイ４１及び／又はバックライトをオフにすることができる。運動センサの１つとして、加速度センサは各方向（一般的に３軸）における加速度の大きさを検出することができ、静止時に重力の大きさ及び方向を検出することができ、携帯電話の姿勢を認識するアプリケーション（例えば、水平画面及び垂直画面の切り替え、関連ゲーム、磁力計の姿勢較正）、振動認識に関連する機能（例えば、万歩計、ハンマリング）等に使用されてもよく、携帯電話に更に配置できるジャイロスコープ、気圧計、湿度計、温度計、赤外線センサ等の他のセンサについては、ここで詳細な説明は省略する。
【００７９】
オーディオ回路６０、拡声器６１、マイクロフォン６２はユーザーと携帯電話との間のオーディオインターフェースを提供することができる。オーディオ回路６０は受信されたオーディオデータを変換した電気信号を拡声器６１に伝送することができ、拡声器６１によって音声信号に変換して再生する一方、マイクロフォン６２は収集された音声信号を電気信号に変換し、オーディオ回路６０に受信されてからオーディオデータに変換し、更にオーディオデータをプロセッサ８０に再生して処理した後、ＲＦ回路１０を介して例えば他の携帯電話に送信し、又は、さらなる処理をするために、オーディオデータをメモリ２０に再生する。
【００８０】
ＷｉＦｉは近距離無線伝送技術に属し、携帯電話はＷｉＦｉモジュール７０によってユーザーが電子メールを送受信し、ホームページをブラウジングし及びストリーミングメディアにアクセスする等に役立ち、ユーザーに無線ブロードバンドインターネットアクセスを提供する。図８にはＷｉＦｉモジュール７０を示すが、理解されるように、該ＷｉＦｉモジュール７０は携帯電話の必須構造に属さず、必要に応じて発明の本質を変えない範囲内に省略してもよい。
【００８１】
プロセッサ８０は携帯電話の制御センターであり、様々なインターフェース及び回路を利用して携帯電話全体の各部分に接続され、メモリ２０に記憶されるソフトウェアプログラム及び／又はモジュールを動作又は実行して、メモリ２０に記憶されるデータを呼び出すことにより、携帯電話の様々な機能及び処理データを実行し、これにより、携帯電話全体を監視する。選択的に、プロセッサ８０は１つ又は複数の処理ユニットを備えてもよく、好ましくは、プロセッサ８０はアプリケーションプロセッサ及びモデムプロセッサを統合することができ、アプリケーションプロセッサは主にオペレーティングシステム、ユーザーインターフェース及びアプリケーションプログラム等を処理し、モデムプロセッサは主に無線通信を処理する。理解されるように、上記モデムプロセッサはプロセッサ８０に統合されなくてもよい。
【００８２】
携帯電話は更に各部材に給電する電源９０（例えば、電池）を備え、好ましくは、電源は電源管理システムによってプロセッサ８０に論理的に接続されてもよく、それにより電源管理システムによって充電、放電管理及び電力消費管理等の機能を実現する。
【００８３】
図示しないが、携帯電話は更にカメラ、ブルートゥースモジュール等を備えてもよく、ここで詳細な説明は省略する。
【００８４】
前述の図２に示される実施例において、各ステップ方法におけるユーザー装置のプロセスは該携帯電話の構造により実現されてもよい。
【００８５】
前述の図６に示される実施例において、各ユニット機能は該携帯電話の構造により実現されてもよい。
【００８６】
本願の実施例は更にコンピュータ可読記憶媒体を提供し、前記コンピュータ可読記憶媒体に電子データ交換のためのコンピュータプログラムが記憶され、前記コンピュータプログラムによってコンピュータが上記方法実施例におけるユーザー装置に説明される一部又は全部のステップを実行する。
【００８７】
本願の実施例は更にコンピュータ可読記憶媒体を提供し、前記コンピュータ可読記憶媒体に電子データ交換のためのコンピュータプログラムが記憶され、前記コンピュータプログラムによってコンピュータが上記方法実施例におけるネットワークノードに説明される一部又は全部のステップを実行する。
【００８８】
本願の実施例は更にコンピュータプログラム製品を提供し、前記コンピュータプログラム製品はコンピュータプログラムが記憶される非一時的コンピュータ可読記憶媒体を含み、前記コンピュータプログラムを操作することによりコンピュータが上記方法におけるユーザー装置に説明される一部又は全部のステップを実行する。該コンピュータプログラム製品は１つのソフトウェアインストールパッケージであってもよい。
【００８９】
本願の実施例は更にコンピュータプログラム製品を提供し、前記コンピュータプログラム製品はコンピュータプログラムが記憶される非一時的コンピュータ可読記憶媒体を含み、前記コンピュータプログラムを操作することによりコンピュータが上記方法実施例におけるネットワークノードに説明される一部又は全部のステップを実行する。該コンピュータプログラム製品は１つのソフトウェアインストールパッケージであってもよい。
【００９０】
本願の実施例に説明される方法又はアルゴリズムのステップはハードウェアの方式で実現されてもよく、プロセッサがソフトウェア命令を実行することで実現されてもよい。ソフトウェア命令は対応するソフトウェアモジュールで構成されてもよく、ソフトウェアモジュールはランダムアクセスメモリ（ＲＡＭ、Ｒａｎｄｏｍ  Ａｃｃｅｓｓ  Ｍｅｍｏｒｙ）、フラッシュメモリ、読み出し専用メモリ（ＲＯＭ、Ｒｅａｄ  Ｏｎｌｙ  Ｍｅｍｏｒｙ）、消去可能プログラム可能読み出し専用メモリ（ＥＰＲＯＭ、Ｅｒａｓａｂｌｅ  Ｐｒｏｇｒａｍｍａｂｌｅ  ＲＯＭ）、電気的消去可能プログラム可能読み出し専用メモリ（ＥＥＰＲＯＭ、Ｅｌｅｃｔｒｉｃａｌｌｙ  ＥＰＲＯＭ）、レジスタ、ハードディスク、ポータブルハードディスク、読み出し専用光ディスク（ＣＤ−ＲＯＭ）又は本分野でよく知られているいかなる他の形式の記憶媒体に記憶されてもよい。例示的な記憶媒体がプロセッサに結合されることにより、プロセッサは該記憶媒体から情報を読み取って、該記憶媒体に情報を書き込むことができる。当然ながら、記憶媒体は更にプロセッサの構成部分であってもよい。プロセッサ及び記憶媒体はＡＳＩＣに位置してもよい。また、該ＡＳＩＣはアクセスネットワーク装置、ターゲットネットワーク装置又はコアネットワーク装置に位置してもよい。当然ながら、プロセッサ及び記憶媒体は個別コンポーネントとしてアクセスネットワーク装置、ターゲットネットワーク装置又はコアネットワーク装置に位置してもよい。
【００９１】
当業者であれば意識できるように、上記１つ又は複数の例では、本願の実施例に説明される機能はソフトウェア、ハードウェア、ファームウェア又はそれらの任意の組み合わせで全体的又は部分的に実現されてもよい。ソフトウェアで実現されるとき、コンピュータプログラム製品の形式で全体的又は部分的に実現されてもよい。前記コンピュータプログラム製品は１つ又は複数のコンピュータ命令を含む。コンピュータにおいて前記コンピュータプログラム命令をロード・実行するとき、本願の実施例に記載のプロセス又は機能を全体的又は部分的に発生させる。前記コンピュータは汎用コンピュータ、専用コンピュータ、コンピュータネットワーク又は他のプログラム可能装置であってもよい。前記コンピュータ命令がコンピュータ可読記憶媒体に記憶され、又は一方のコンピュータ可読記憶媒体から他方のコンピュータ可読記憶媒体まで伝送されてもよく、例えば、前記コンピュータ命令が一方のウェブサイト、コンピュータ、サーバ又はデータセンターから有線（例えば、同軸ケーブル、光ファイバー、デジタル加入者回線（ＤＳＬ、Ｄｉｇｉｔａｌ  Ｓｕｂｓｃｒｉｂｅｒ  Ｌｉｎｅ））又は無線（例えば、赤外線、無線、マイクロ波等）方式で他方のウェブサイト、コンピュータ、サーバ又はデータセンターまで伝送されてもよい。前記コンピュータ可読記憶媒体はコンピュータにアクセスできるいかなる利用可能媒体又は１つ又は複数の利用可能媒体からなるサーバ、データセンター等のデータ記憶装置であってもよい。前記利用可能媒体は磁気媒体（例えば、フロッピーディスク、ハードディスク、磁気テープ）、光媒体（例えば、デジタルビデオディスク（ＤＶＤ、Ｄｉｇｉｔａｌ  Ｖｉｄｅｏ  Ｄｉｓｃ））又は半導体媒体（例えば、ソリッドステートディスク（ＳＳＤ、Ｓｏｌｉｄ  Ｓｔａｔｅ  Ｄｉｓｋ））等であってもよい。
【００９２】
以上に記載した具体的な実施形態は本願の実施例の目的、技術案及び有益な効果を更に詳しく説明したが、理解されるべきように、以上の説明は本願の実施例の具体的な実施形態に過ぎず、本願の実施例の保護範囲を制限するためのものではなく、本願の実施例の技術案に基づき行ったいかなる修正、等価置換、改良等は、いずれも本願の実施例の保護範囲内に含まれるべきである。
【図１】
2021502008.tif 000004
【図２】
2021502008.tif 000005
【図３】
2021502008.tif 000006
【図４】
2021502008.tif 000007
【図５】
2021502008.tif 000008
【図６】
2021502008.tif 000009
【図７】
2021502008.tif 000010
【図８】
2021502008.tif 000011
【手続補正書】
【提出日】令和2年9月10日(2020.9.10)
【手続補正１】
【補正対象書類名】明細書
【補正対象項目名】００１６
【補正方法】変更
【補正の内容】
【００１６】
【図１】図１は本願の実施例に係るネットワークアーキテクチャの模式図である。
【図２】図２は本願の実施例に係るデータ処理方法の模式的なフローチャートである。
【図３】図３は本願の実施例に係るＭＡＣ  ＰＤＵの全体構造模式図である。
【図４】図４は本願の実施例に係るユーザー装置の構造模式図である。
【図５】図５は本願の実施例に係るネットワークノードの構造模式図である。
【図６】図６は本願の実施例に係る別のユーザー装置の構造模式図である。
【図７】図７は本願の実施例に係る別のネットワークノードの構造模式図である。
【図８】図８は本願の実施例に係る別のユーザー装置の構造模式図である。
【手続補正２】
【補正対象書類名】明細書
【補正対象項目名】００３２
【補正方法】変更
【補正の内容】
【００３２】
具体的に、ＭＡＣ  ＰＤＵの全体構造は図３に示すとおり、１つのＭＡＣ  ＰＤＵがＭＡＣヘッダー（ＭＡＣ  ｈｅａｄｅｒ）及びＭＡＣペイロード（ＭＡＣ  ｐａｙｌｏａｄ）からなる。ＭＡＣペイロードがＭＡＣサブサービスデータユニット（ＭＡＣ  ｓｕｂ−ＰＤＵ）、ＭＡＣ  ＣＥ及び選択可能なパディングビット（ｐａｄｄｉｎｇ）からなる。ＭＡＣヘッダー、ＭＡＣ  ｓｕｂ−ＰＤＵ及びＭＡＣ  ＣＥがＭＡＣ  ＰＤＵ全体にいっぱいにパディングできない場合、ＭＡＣ  ＰＤＵにおける残りのビットはパディングビット（ｐａｄｄｉｎｇ  ｂｉｔ）でパディングされる必要がある。ＭＡＣ  ＣＥは様々なタイプがあり、様々なＭＡＣ層の制御情報、例えば電力ヘッドルーム報告（Ｐｏｗｅｒ  Ｈｅａｄｒｏｏｍ  Ｒｅｐｏｒｔ）のためのＭＡＣ  ＣＥ、バッファ状態報告（Ｂｕｆｆｅｒ  Ｓｔａｔｕｓ  Ｒｅｐｏｒｔ）のためのＭＡＣ  ＣＥ、タイミングアドバンスコマンド（Ｔｉｍｉｎｇ  Ａｄｖａｎｃｅ  Ｃｏｍｍａｎｄ）を送信するためのＭＡＣ  ＣＥを伝送することに用いられる。
【手続補正３】
【補正対象書類名】明細書
【補正対象項目名】００３３
【補正方法】変更
【補正の内容】
【００３３】
本願におけるＭＡＣ  ＣＥはユーザー装置のデータ複製伝送機能を制御することに用いられる。第１ネットワークノードがユーザー装置へＭＡＣ  ＣＥを送信するやり方は、第１ネットワークノードにはユーザー装置へ送信するデータがある場合、第１ネットワークノードのＰＤＣＰ層が送信すべきデータをＰＤＣＰ  ＰＤＵにカプセル化し、次にカプセル化後のＰＤＣＰ  ＰＤＵをＲＬＣ層に送信し、次にＲＬＣ層がＲＬＣ  ＰＤＵをＭＡＣ層に送信し、ＭＡＣ層が送信すべき制御情報をＭＡＣ  ＣＥに含ませてＲＬＣ層の送信したデータとともにＭＡＣ  ＰＤＵにカプセル化し、次に第１ネットワークノードのＭＡＣ層がカプセル化後のＭＡＣ  ＰＤＵをインターフェースを介してユーザー装置に送信することである。
【手続補正４】
【補正対象書類名】明細書
【補正対象項目名】００５０
【補正方法】変更
【補正の内容】
【００５０】
図４を参照して、図４は本願の実施例に係るユーザー装置を示す図であり、該装置は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
第１ネットワークノードからの制御情報を受信し、
前記第１ネットワークノードの制御情報及び設定ルールに基づいて前記ユーザー装置のデータ複製動作を決定するステップを実行するための命令を含む。
【手続補正５】
【補正対象書類名】明細書
【補正対象項目名】００５５
【補正方法】変更
【補正の内容】
【００５５】
一実施例において、第１ネットワークノードからの制御情報を受信する方面では、前記プログラムは、具体的に、
前記第１ネットワークノードからのＭＡＣ  ＣＥを受信し、前記ＭＡＣ  ＣＥが制御情報を含むステップを実行するための命令を含む。
【手続補正６】
【補正対象書類名】明細書
【補正対象項目名】００５７
【補正方法】変更
【補正の内容】
【００５７】
図５を参照して、図５は本願の実施例に係るネットワークノードを示す図であり、該装置は１つ又は複数のプロセッサ、１つ又は複数のメモリ、１つ又は複数の送受信機及び１つ又は複数のプログラムを備え、
前記１つ又は複数のプログラムは前記メモリに記憶され、且つ前記１つ又は複数のプロセッサにより実行されるように構成され、
前記プログラムは、
ユーザー装置へ制御情報を送信するステップを実行するための命令を含み、前記制御情報は前記ユーザー装置が設定ルールと組み合わせて前記ユーザー装置のデータ複製動作を決定することに用いられる。
【手続補正７】
【補正対象書類名】明細書
【補正対象項目名】００６０
【補正方法】変更
【補正の内容】
【００６０】
図６を参照して、図６は本実施例に係るユーザー装置の構造模式図である。該ユーザー装置は処理ユニット６０１、通信ユニット６０２及び記憶ユニット６０３を備え、
前記処理ユニット６０１は、前記通信ユニット６０２によって第１ネットワークノードからの制御情報を受信することと、前記第１ネットワークノードの制御情報及び設定ルールに基づいて前記ユーザー装置のデータ複製動作を決定することとに用いられる。
【手続補正８】
【補正対象書類名】明細書
【補正対象項目名】００６５
【補正方法】変更
【補正の内容】
【００６５】
一実施例において、第１ネットワークノードからの制御情報を受信する方面では、前記処理ユニット６０１は、具体的に、
前記第１ネットワークノードからのＭＡＣ  ＣＥを受信することに用いられ、前記ＭＡＣ  ＣＥが制御情報を含む。
【手続補正９】
【補正対象書類名】明細書
【補正対象項目名】００６８
【補正方法】変更
【補正の内容】
【００６８】
図７に示すとおり、図７は本実施例に係るネットワークノードの構造模式図である。該ネットワークノードは処理ユニット７０１、通信ユニット７０２及び記憶ユニット７０３を備え、
前記処理ユニット７０１は、前記通信ユニット７０２によってユーザー装置へ制御情報を送信することに用いられ、前記制御情報は前記ユーザー装置が設定ルールと組み合わせて前記ユーザー装置のデータ複製動作を決定することに用いられる。
【手続補正１０】
【補正対象書類名】特許請求の範囲
【補正対象項目名】全文
【補正方法】変更
【補正の内容】
【特許請求の範囲】
【請求項１】
データ処理方法であって、
ユーザー装置が第１ネットワークノードからの制御情報を受信することと、
前記ユーザー装置が前記第１ネットワークノードの制御情報及び設定ルールに基づいて前記ユーザー装置のデータ複製動作を決定することと、を含むことを特徴とするデータ処理方法。
【請求項２】
制御情報が少なくとも１つのビットを含み、前記ユーザー装置が前記第１ネットワークノードの制御情報及び設定ルールに基づいて前記ユーザー装置のデータ複製動作を決定することは、
前記ユーザー装置がビットｉの値を仮定し、前記ビットｉが前記ユーザー装置の仮定した第２ネットワークノードからの制御情報に含まれる少なくとも１つのビットのうちの１つであることと、
前記ユーザー装置が前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊの制御情報における位置が同じであることと、を含むことを特徴とする請求項１に記載の方法。
【請求項３】
前記ビットｉの値が前記ビットｊの値に基づいて仮定したものであることを特徴とする請求項２に記載の方法。
【請求項４】
制御情報が少なくとも１つのビットを含み、前記ユーザー装置が前記第１ネットワークノードの制御情報及び設定ルールに基づいて前記ユーザー装置のデータ複製動作を決定する前に、前記方法は、更に、
前記ユーザー装置が第２ネットワークノードからの制御情報を受信することを含み、
前記ユーザー装置が前記第１ネットワークノードの制御情報及び設定ルールに基づいて前記ユーザー装置のデータ複製動作を決定することは、
前記ユーザー装置がビットｘの値、ビットｙの値及び設定されたマッピング関係に基づいて前記ユーザー装置のデータ複製動作を決定することを含み、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙの制御情報における位置が同じであることを特徴とする請求項１に記載の方法。
【請求項５】
前記設定されたマッピング関係は前記第１ネットワークノードの制御情報に含まれる１つのビットの値、前記第２ネットワークノードの制御情報に含まれる１つのビットの値及びユーザー装置のデータ複製動作のマッピング関係であることを特徴とする請求項２〜４のいずれか１項に記載の方法。
【請求項６】
前記ユーザー装置が第１ネットワークノードからの制御情報を受信することは、
前記ユーザー装置が前記第１ネットワークノードからのＭＡＣ  ＣＥを受信することを含み、前記ＭＡＣ  ＣＥが制御情報を含むことを特徴とする請求項１〜５のいずれか１項に記載の方法。
【請求項７】
ユーザー装置であって、
処理ユニット及び通信ユニットを備え、
前記処理ユニットは、前記通信ユニットによって第１ネットワークノードからの制御情報を受信することと、前記第１ネットワークノードの制御情報及び設定ルールに基づいて前記ユーザー装置のデータ複製動作を決定することとに用いられることを特徴とするユーザー装置。
【請求項８】
制御情報が少なくとも１つのビットを含み、前記処理ユニットは、具体的に、
ビットｉの値を仮定し、前記ビットｉが前記ユーザー装置の仮定した第２ネットワークノードからの制御情報に含まれる少なくとも１つのビットのうちの１つであることと、
前記ビットｉの値、ビットｊの値及び設定されたマッピング関係に基づいて前記ユーザー装置のデータ複製動作を決定し、前記ビットｊが前記第１ネットワークノードの制御情報に含まれる少なくとも１つのビットのうちの１つであり、前記ビットｉ及び前記ビットｊの制御情報における位置が同じであることとに用いられることを特徴とする請求項７に記載のユーザー装置。
【請求項９】
前記ビットｉの値が前記ビットｊの値に基づいて仮定したものであることを特徴とする請求項８に記載のユーザー装置。
【請求項１０】
制御情報が少なくとも１つのビットを含み、
前記処理ユニットは、更に、前記通信ユニットによって第２ネットワークノードからの制御情報を受信することに用いられ、
前記第１ネットワークノードの制御情報及び設定ルールに基づいて前記ユーザー装置のデータ複製動作を決定する方面では、前記処理ユニットは、具体的に、
ビットｘの値、ビットｙの値及び設定されたマッピング関係に基づいて前記ユーザー装置のデータ複製動作を決定することに用いられ、前記ビットｘが前記ユーザー装置の受信した前記第２ネットワークノードからの制御情報に含まれる少なくとも１つのビットのうちの１つであり、前記ビットｙが前記第１ネットワークノードの制御情報に含まれる少なくとも１つのビットのうちの１つであり、前記ビットｘ及び前記ビットｙの制御情報における位置が同じであることを特徴とする請求項７に記載のユーザー装置。
【請求項１１】
前記設定されたマッピング関係は前記第１ネットワークノードの制御情報に含まれる１つのビットの値、前記第２ネットワークノードの制御情報に含まれる１つのビットの値及びユーザー装置のデータ複製動作のマッピング関係であることを特徴とする請求項８〜１０のいずれか１項に記載のユーザー装置。
【請求項１２】
前記処理ユニットは、具体的に、
前記第１ネットワークノードからのＭＡＣ  ＣＥを受信することに用いられ、前記ＭＡＣ  ＣＥが制御情報を含むことを特徴とする請求項７〜１１のいずれか１項に記載のユーザー装置。
【請求項１３】
ネットワークノードであって、
処理ユニット及び通信ユニットを備え、
前記処理ユニットは前記通信ユニットによってユーザー装置へ制御情報を送信することに用いられ、前記制御情報は前記ユーザー装置が設定ルールと組み合わせて前記ユーザー装置のデータ複製動作を決定することに用いられることを特徴とするネットワークノード。
【請求項１４】
前記処理ユニットは、具体的に、
ユーザー装置へＭＡＣ  ＣＥを送信することに用いられ、前記ＭＡＣ  ＣＥが制御情報を含むことを特徴とする請求項１３に記載のネットワークノード。
【請求項１５】
ユーザー装置であって、
１つ又は複数のプロセッサ、１つ又は複数のメモリ、１つ又は複数の送受信機及び１つ又は複数のプログラムを備え、前記１つ又は複数のプログラムは前記メモリに記憶され、且つ前記１つ又は複数のプロセッサにより実行されるように構成され、前記プログラムは請求項１〜６のいずれか１項に記載の方法のステップを実行するための命令を含むことを特徴とするユーザー装置。
【国際調査報告】
2021502008.tif 000012
2021502008.tif 000013
2021502008.tif 000014
2021502008.tif 000015